(57)【要約】【課題】撮影画像を、その画像の付随情報と共にネットワーク上に公開する場合に、画像にアクセスする各利用者が満足できる形で付随情報を付与できる画像情報処理システムのサーバ、画像情報処理プログラム、画像情報処理方法を提供する。【解決手段】画像ファイルとその付随情報をサーバ１００にアップロードして、これをサーバ１００で蓄積かつ画像を公開する。公開した画像のダウンロード要求があった場合、利用者毎にオリジナルの付随情報から情報を削除または情報内容を適切な値に変更してダウンロードさせる。また、画像をダウンロードした場合に、表示装置２０での画像に対する処理（印刷出力、スライドショー表示）により、該当情報をサーバ１００にフィードバックし、付随情報の更新を行う。【選択図】図１
2010081162.tif 000002
【特許請求の範囲】
【請求項１】
画像データと前記画像の後処理に関する付随情報と前記画像を登録した者を特定する登録者情報とを蓄積する蓄積手段と、
前記画像データの取得要求を受け付ける取得要求受付手段と、
前記取得要求受付手段に取得要求を行った利用者を特定する利用者情報を取得する利用者情報取得手段と、
取得した前記利用者情報に応じて異なる処理を前記付随情報に対して行う付随情報処理手段と、
前記画像データを前記利用者へ送信する送信手段と、
を備える画像情報処理システムのサーバ。
【請求項２】
前記付随情報処理手段は、前記登録者情報と前記利用者情報とを比較する登録者利用者比較手段と、
前記登録者利用者比較手段の比較結果に応じて前記付随情報の更新を行う付随情報更新手段と、
を備え、
前記送信手段は、前記付随情報更新手段が更新した付随情報を前記利用者へ送信すること、
を特徴とする請求項１に記載の画像情報処理システムのサーバ。
【請求項３】
前記付随情報処理手段は、前記登録者情報と前記利用者情報とを比較する登録者利用者比較手段と、
前記登録者利用者比較手段の比較結果に基づいて、前記送信手段により前記付随情報を送信するか否かを判断する付随情報送信判断手段と、
を備えることを特徴とする請求項１に記載の画像情報処理システムのサーバ。
【請求項４】
前記付随情報処理手段は、前記利用者情報に対応する付随情報を前記蓄積手段から検索する付随情報検索手段を備え、
前記送信手段は、付随情報検索手段により前記利用者情報に対応する付随情報が得られたときに、前記利用者情報に対応する付随情報を前記利用者へ送信すること、
を特徴とする請求項１に記載の画像情報処理システムのサーバ。
【請求項５】
前記利用者から付随情報を受け付ける付随情報受付手段を備え、
前記付随情報処理手段は、前記付随情報受付手段が受け付けた前記利用者からの付随情報に応じて、前記付随情報の更新を行う付随情報更新手段を備え、
前記送信手段は、前記付随情報更新手段が更新した付随情報を前記利用者へ送信すること、
を特徴とする請求項１に記載の画像情報処理システムのサーバ。
【請求項６】
前記付随情報処理手段は、前記付随情報に前記利用者情報との関連性を有する情報が含まれているか否かを判断する付随情報判断手段を備え、
前記付随情報処理手段は、前記付随情報判断手段の判断結果に応じて、前記付随情報の更新を行う付随情報更新手段を備え、
前記送信手段は、前記付随情報更新手段が更新した付随情報を前記利用者へ送信すること、
を特徴とする請求項１に記載の画像情報処理システムのサーバ。
【請求項７】
前記付随情報処理手段は、前記利用者が前記画像に対して実施した後処理を確認する後処理確認手段と、
前記後処理確認手段の確認結果に応じて、前記付随情報の更新を行う付随情報更新手段と、
を備え、
前記送信手段は、前記付随情報更新手段が更新した付随情報を前記利用者へ送信すること、
を特徴とする請求項１に記載の画像情報処理システムのサーバ。
【請求項８】
前記付随情報処理手段は、前記利用者の前記付随情報に関連した機器情報を取得する利用者機器情報取得手段を備え、
前記付随情報処理手段は、前記利用者機器情報取得手段の取得結果に応じて異なる処理を前記付随情報に対して行うこと、
を特徴とする請求項１に記載の画像情報処理システムのサーバ。
【請求項９】
前記付随情報処理手段は、前記利用者機器情報取得手段の取得結果に基づいて、前記送信手段により前記付随情報を送信するか否かを判断する付随情報送信判断手段を備えること、
を特徴とする請求項８に記載の画像情報処理システムのサーバ。
【請求項１０】
前記付随情報処理手段は、前記利用者機器情報取得手段の取得結果に基づいて、前記画像に関して追加の情報を前記送信手段により前記利用者へ送信する情報追加手段を備えること、
を特徴とする請求項８に記載の画像情報処理システムのサーバ。
【請求項１１】
前記付随情報処理手段は、前記利用者機器情報取得手段の取得結果に基づいて、前記付随情報の更新を行う付随情報更新手段を備え、
前記送信手段は、前記付随情報更新手段が更新した付随情報を前記利用者へ送信すること、
を特徴とする請求項８に記載の画像情報処理システムのサーバ。
【請求項１２】
前記付随情報は、前記画像を印刷するときの印刷出力数に関する情報を含むこと、
を特徴とする請求項１から請求項１１までのいずれか１項に記載の画像情報処理システムのサーバ。
【請求項１３】
前記付随情報は、前記画像を印刷するときの印刷範囲に関する情報を含むこと、
を特徴とする請求項１から請求項１２までのいずれか１項に記載の画像情報処理システムのサーバ。
【請求項１４】
前記付随情報は、前記画像を表示するときの表示範囲に関する情報を含むこと、
を特徴とする請求項１から請求項１３までのいずれか１項に記載の画像情報処理システムのサーバ。
【請求項１５】
コンピュータを、
画像データと前記画像の後処理に関する付随情報と前記画像を登録した者を特定する登録者情報とを蓄積する蓄積手段と、
前記画像データの取得要求を受け付ける取得要求受付手段と、
前記取得要求受付手段に取得要求を行った利用者を特定する利用者情報を取得する利用者情報取得手段と、
取得した前記利用者情報に応じて異なる処理を前記付随情報に対して行う付随情報処理手段と、
前記画像データを前記利用者へ送信する送信手段として機能させるための画像情報処理プログラム。
【請求項１６】
コンピュータを、請求項１から請求項１４までのいずれか１項に記載の画像情報処理システムのサーバとして機能させるための画像情報処理プログラム。
【請求項１７】
画像データと前記画像の後処理に関する付随情報と前記画像を登録した者を特定する登録者情報とを蓄積し、
前記画像データの取得要求を受け付け、
前記取得要求を行った利用者を特定する利用者情報を取得し、
取得した前記利用者情報に応じて異なる処理を前記付随情報に対して行い、
前記画像データを前記利用者へ送信する画像情報処理方法。
【発明の詳細な説明】
【技術分野】
【０００１】
本発明は、画像に付随し印刷出力や表示制御等に利用する付随情報の処理を行う画像情報処理システムのサーバ、画像情報処理プログラム、画像情報処理方法に関するものである。
【背景技術】
【０００２】
近年、デジタルカメラ・デジタルビデオカメラ等が広く普及し、個人でこれらの機器を使って静止画像・動画像を撮影することは一般的となっている。また、ネットワーク通信の大容量化も目覚しく、個人で撮影した静止画像・動画像を特定・不特定多数に公開するようなケースも珍しくなくなっている。
【０００３】
デジタルカメラで撮影した画像に対しては、後処理のための情報を格納するＤＰＯＦ（登録商標）（Ｄｉｇｉｔａｌ  Ｐｒｉｎｔ  Ｏｒｄｅｒ  Ｆｏｒｍａｔ）が規格化されている。
ＤＰＯＦ（登録商標）では、画像の印刷出力枚数や印刷出力方法、スライドショーの順番、表示や印刷時のトリミング情報などの画像後処理に必要な情報を定義している。また画像の配布先をインターネットアドレスやＦＡＸ番号などで指定することもＤＰＯＦ（登録商標）で設定可能である。
【０００４】
一方でこれら画像の取り扱い方、すなわち、印刷出力の方法やスライドショーでの表示のさせ方などは、画像の撮影者や画像の視聴者という立場により各人でまちまちである。
例えば、特許文献１で開示された従来技術によると、カメラにユーザ認証手段を持たせる等により、そのカメラで撮影した画像の付随情報に撮影者や被写体の情報を含めることができる。この付随情報を元に画像の撮影者や画像の被写体となる人物の嗜好に合わせた画像の出力方法を提供する。
【０００５】
また、特許文献２で開示されたプリント指定情報記録方法では、デジタルカメラの顔検知手段により、撮影した画像内の人物像の顔を検知し、顔の数をカウントし、その値をＤＰＯＦ（登録商標）のプリント出力枚数として設定する。
【特許文献１】特開２００４−０５０４０７号公報
【特許文献２】特開２００７−２０８７３２号公報
【発明の開示】
【発明が解決しようとする課題】
【０００６】
ここで、撮影した画像を、その画像の付随情報と共にネットワーク（インターネット）上のサーバで公開するシステムを構築する場合を想定する。
あるユーザが、自身の撮影した画像を付随情報と共にインターネット上に公開されたサーバにアップロードして、第三者に公開する。第三者がその画像にアクセスし、その付随情報を元に印刷出力した場合、印刷出力に必要なパラメータを入力することなく、印刷出力結果を得ることができる。
【０００７】
しかし、例えば、特許文献２に開示されているようなデジタルカメラで撮影した画像の場合、検知した顔の枚数がそのまま印刷出力枚数として設定が適用されて印刷出力されてしまう。この場合、アクセスした第三者にとって不必要に大量の枚数が印刷されてしまうおそれがあった。
【０００８】
またインターネット上での画像の公開は、特定及び不特定の多数の第三者が対象であり、かつ各々の利用者に対して個別の設定が望まれる。例えば、特許文献１に開示されているように撮影機器上で管理したユーザ情報に従い、印刷出力付随情報を作成するだけでは、各々の利用者が満足できる設定になるとは限らなかった。
【０００９】
本発明の課題は、撮影画像を、その画像の付随情報と共にネットワーク上に公開する場合に、画像にアクセスする各利用者が満足できる形で付随情報を付与できる画像情報処理システムのサーバ、画像情報処理プログラム、画像情報処理方法を提供することである。
【課題を解決するための手段】
【００１０】
本発明の第１の側面としての画像情報処理システムのサーバは、画像データと前記画像の後処理に関する付随情報と前記画像を登録した者を特定する登録者情報とを蓄積する蓄積手段と、前記画像データの取得要求を受け付ける取得要求受付手段と、前記取得要求受付手段に取得要求を行った利用者を特定する利用者情報を取得する利用者情報取得手段と、取得した前記利用者情報に応じて異なる処理を前記付随情報に対して行う付随情報処理手段と、前記画像データを前記利用者へ送信する送信手段とを備える。
【００１１】
本発明の第２の側面としての画像情報処理プログラムは、コンピュータを、画像データと前記画像の後処理に関する付随情報と前記画像を登録した者を特定する登録者情報とを蓄積する蓄積手段と、前記画像データの取得要求を受け付ける取得要求受付手段と、前記取得要求受付手段に取得要求を行った利用者を特定する利用者情報を取得する利用者情報取得手段と、取得した前記利用者情報に応じて異なる処理を前記付随情報に対して行う付随情報処理手段と、前記画像データを前記利用者へ送信する送信手段として機能させるためのコンピュータプログラムである。
【００１２】
本発明の第３の側面としての画像情報処理プログラムは、コンピュータを、本発明の第１の側面としての画像情報処理システムのサーバとして機能させるためのコンピュータプログラムである。
【００１３】
本発明の第４の側面としての画像情報処理方法は、画像データと前記画像の後処理に関する付随情報と前記画像を登録した者を特定する登録者情報とを蓄積し、前記画像データの取得要求を受け付け、前記取得要求を行った利用者を特定する利用者情報を取得し、取得した前記利用者情報に応じて異なる処理を前記付随情報に対して行い、前記画像データを前記利用者へ送信する。
【発明の効果】
【００１４】
本発明によれば、画像撮影時または画像をネットワーク公開サーバ等にアップロードした利用者が設定した付随情報とは別の付随情報を、ダウンロード要求した別の利用者に提供することができる。
これにより、画像ダウンロードを要求した利用者に対して、適切な付随情報を適用できるようになる。
例えば、画像がアップロードされた時の印刷出力枚数が複数枚であっても、ダウンロード要求した利用者に対しては印刷出力枚数を１として送信することが可能となる。
また、ダウンロードした利用者の周辺機器の環境等の機器情報にあわせた付随情報を生成することで利便性の更なる向上が期待できる。
【発明を実施するための最良の形態】
【００１５】
以下、本発明を実施するための最良の形態について図面等を参照して説明する。
ここでは、インターネットで公開されている画像データサーバを例として、説明を行う。
【００１６】
（第１実施形態）
図１は、画像情報処理システムの第１実施形態の概要を示した図である。
本実施形態の画像情報処理システムは、コンピュータ１０、表示装置２０、サーバ１００を有し、これらがインターネット１０００を介して通信可能に接続されている。
なお、本明細書中では、コンピュータ１０を用いて画像データをサーバ１００に登録（アップロード）する者を登録者と呼び、表示装置２０を用いて画像データを利用（ダウンロード）する者を利用者と呼び、両者を区別して説明する。
【００１７】
コンピュータ１０は、受信部１１ａ及び送信部１１ｂを含む通信部１１を有し、インターネット１０００に接続されたパーソナルコンピュータである。コンピュータ１０は、例えばカメラ３０により撮影された画像データを取り込み、この画像データを通信部１１によりインターネット１０００を介してサーバ１００へ送る。ここで、カメラ３０は、デジタルカメラである。カメラ３０からコンピュータ１０への画像データ取り込みは、メモリカード等を介してもよいし、ケーブル接続や無線通信によって行ってもよい。
また、コンピュータ１０は、この画像データに、付随情報としてＤＰＯＦ（登録商標）データを関連づけてサーバ１００へアップロードする。
【００１８】
図２は、ＤＰＯＦ（登録商標）データの概要を示した図である。
ＤＰＯＦ（登録商標）は、画像の後処理に関する記述を行うもので、自動印刷処理、自動送信処理、自動再生処理の３つが定義されている（ＤＰＯＦ（登録商標）  Ｖｅｒｓｉｏｎ１．１０）。図２では、自動印刷処理の定義を示している。
”Print Product ID”５１は、処理を特定するためのＩＤ（識別符号）である。
”Print type”５２は、印刷の種類を示している。
”Number of prints”５３は、印刷出力数を示している。
”Format of the file”５４は、ファイルのフォーマットを示している。
”File name and path”５５は、画像のファイル位置とファイル名を示している。
”Other specifications”５６は、その他の印刷処理、例えば画像回転や画像トリミング等の印刷範囲、又は、表示範囲を示している。
【００１９】
このＤＰＯＦ（登録商標）データは、撮影した画像データに対して登録者がカメラ３０上で、簡便に設定することが可能である。また、コンピュータ１０にＤＰＯＦ（登録商標）に対応したソフトウェアをインストールすることにより、ＤＰＯＦ（登録商標）データの設定をコンピュータ１０上で行ってもよい。
利用者は、ＤＰＯＦ（登録商標）データを用いることにより、印刷出力など、画像データに対する後処理を自動的に行うことができる。本実施形態では、このＤＰＯＦ（登録商標）データを撮影した画像データと共にサーバ１００で蓄積する。
【００２０】
表示装置２０は、受信部２１ａ及び送信部２１ｂを含む通信部２１と、入力部２２とを有し、インターネット１０００に接続されている。表示装置２０は、例えばテレビ受像機のような形態の機器であってもよいし、パーソナルコンピュータのような形態の機器であってもよい。入力部２２からは、利用者の操作によって各種操作入力が行われる。表示装置２０には、プリンタ４０が接続されている。
プリンタ４０は、表示装置２０からの指示にしたがい印刷を行う。
本実施形態では、利用者は、表示装置２０によりサーバ１００で公開している画像をダウンロードし、表示する。また、プリンタ４０は、表示装置２０に表示されたサーバ１００で公開している画像を印刷出力可能である。このとき、表示装置２０からプリンタ４０への印刷出力方法の設定は、サーバ１００から取得するＤＰＯＦ（登録商標）データを用いて行われる。
【００２１】
サーバ１００は、通信部１１０、蓄積部１２０、取得要求受付部１３０、利用者情報取得部１４０、付随情報処理部１５０を備えており、特定・不特定の利用者に公開される。
これらサーバ１００の各種機能ブロックは、コンピュータに対して画像情報処理プログラムを読み込み実行することによって実現されるものである。
【００２２】
通信部１１０は、受信部１１１と送信部１１２とを有し、インターネット１０００を介してコンピュータ１０及び表示装置２０と通信を行う。
【００２３】
蓄積部１２０は、インターネット１０００を介して例えばコンピュータ１０から送信された画像データと付随情報であるＤＰＯＦ（登録商標）データと当該画像データを登録した登録者のＩＤとを蓄積する。蓄積部１２０は、例えば、ハードディスク装置を用いることができる。ここで、登録者のＩＤとは、登録者を特定できる固有の番号等からなる登録者情報である。
【００２４】
取得要求受付部１３０は、利用者が、例えば、表示装置２０により蓄積部１２０に蓄積されている画像データをダウンロードして利用するときに、その取得要求のコマンドを受け付ける。
【００２５】
利用者情報取得部１４０は、取得要求受付部１３０が受け付けた画像データの取得要求を行った利用者の情報を取得する。具体的には、利用者情報取得部１４０は、利用者のＩＤを通信部を介して表示装置２０から取得する。ここで、利用者のＩＤとは、利用者を特定できる固有の番号等からなる利用者情報である。
【００２６】
付随情報処理部１５０は、ＩＤ比較部１５１と付随情報更新部１５２とを備えている。
ＩＤ比較部１５１は、登録者のＩＤ（登録者情報）と利用者のＩＤ（利用者情報）とを比較する登録者利用者比較部である。
付随情報更新部１５２は、ＩＤ比較部１５１の比較結果に応じて付随情報であるＤＰＯＦ（登録商標）データの更新を行う。
これにより、付随情報処理部１５０は、利用者に応じて異なる処理を画像データに付随するＤＰＯＦ（登録商標）データに対して行う。
【００２７】
図３は、画像データをコンピュータ１０からアップロードするときのサーバ１００の処理フローを示す図である。
本処理は、サーバ１００内で定常的に実施されている。
ステップ（以下、Ｓとする）１０１では、画像アップロード要求待ちのループ処理を行う。もし、画像アップロード要求を受信した場合、処理をＳ１０３へ進める。
【００２８】
Ｓ１０３では、画像アップロード要求を行った利用者情報の取得を行う。利用者情報取得後、処理をＳ１０５へ進める。
Ｓ１０５では、Ｓ１０３で取得した利用者情報から新規登録データか否かで処理を分岐させている。もし新規登録であったならば、Ｓ１０７で利用者情報を登録する。これらの処理後、Ｓ１０９へ処理を進める。
【００２９】
Ｓ１０９では、アップロードすべき画像データの転送取得を行う。
画像転送終了後、Ｓ１１１では、転送された画像データをサーバ１００内の蓄積部１２０に保存し、Ｓ１１３へ進む。
Ｓ１１３では、画像データをアップロードしたところ（ここでは、コンピュータ１０）からＤＰＯＦ（登録商標）データを転送取得する処理を行う。
Ｓ１１５では、画像データと同様に取得したＤＰＯＦ（登録商標）データをサーバ１００内の蓄積部１２０に保存する。
【００３０】
図４は、画像データを表示装置２０へダウンロードする際のＤＰＯＦ（登録商標）設定処理フローを示す図である。
本処理は、サーバ１００にインターネット１０００を経由して、画像データのダウンロード要求が発生した場合、サーバ１００上で実行する。
Ｓ２０１では、インターネット１０００を介して行われる表示装置２０からの画像データ（ここでは画像Ａと表記、以下同様。）取得要求を受け付ける処理を行う。この処理は、取得要求受付部１３０により行われる。
Ｓ２０３では、サーバ１００の蓄積部１２０に蓄積されている画像Ａに対応するＤＰＯＦ（登録商標）データを取得する処理を行う。処理後、Ｓ２０５へ進む。
【００３１】
Ｓ２０５では、画像Ａのオーナ、すなわち画像Ａをアップロードした登録者のＩＤの情報取得処理を行う。
Ｓ２０７では、画像Ａのダウンロード要求を行った利用者のＩＤの取得処理を行う。
Ｓ２０９では、付随情報処理部１５０のＩＤ比較部１５１が画像Ａのダウンロード要求を出した利用者のＩＤと該当する画像Ａの登録者のＩＤとを比較し、その結果により処理を分岐させている。すなわち、もし、画像Ａのダウンロード要求を出した利用者のＩＤと画像Ａの登録者のＩＤとが一致しない場合には、処理をＳ２１１へ進める。また、一致する場合には、処理をＳ２１３へ進める。
【００３２】
Ｓ２１１では、付随情報更新部１５２が、画像Ａのダウンロード要求を出した利用者に対して添付するＤＰＯＦ（登録商標）データの印刷出力設定情報フィールド”Number of prints”５３（図２参照）の値を「１」に書き換える処理を行う。なお、書き換える値は、「１」に限らず、例えば、「０」としてもよい。
Ｓ２１３では、画像Ａのダウンロード要求を出した利用者（このステップを実行している場合には、利用者＝画像Ａの登録者）に対して添付するＤＰＯＦ（登録商標）データをサーバ１００の蓄積部１２０に蓄積されたデータそのものを設定する処理を行う。
このＳ２０９〜Ｓ２１３の処理を行うのは、登録者が印刷枚数を例えば１０枚として画像データのアップロードを行っていた場合に、この登録者と異なる人物である利用者が印刷時に１０枚も印刷されてしまうことを防ぐためである。また、利用者＝登録者である場合には、アップロードされたときの設定のままのＤＰＯＦ（登録商標）データとなる。
【００３３】
Ｓ２１５では、ダウンロード要求のあった画像ＡとＳ２１１またはＳ２１３で生成されたＤＰＯＦ（登録商標）データを画像Ａのダウンロード要求を行った利用者に対して送信する処理を行う。
なお、上述の説明では、画像Ａとして１枚の画像データとそのＤＰＯＦ（登録商標）データの制御について説明したが、複数の画像データのダウンロードに対しても同様である。
【００３４】
本実施形態によれば、利用者が登録者と同一人物であるか否かによって、ＤＰＯＦ（登録商標）データの取り扱い方を変更している。よって、利用者が登録者と同一人物である場合には、当該登録者（＝利用者）の意図に合致したＤＰＯＦ（登録商標）データを利用できる。また、利用者が登録者と別の人物であるときには、登録者が設定したＤＰＯＦ（登録商標）データで勝手に印刷されることなく、標準的な１枚の印刷とできる。
【００３５】
（第２実施形態）
図５は、画像情報処理システムの第２実施形態の概要を示した図である。
第２実施形態は、第１実施形態の付随情報更新部１５２に代えて付随情報送信判断部２５２を設けたサーバ２００とした点が第１実施形態と異なる他は、第１実施形態と同様な形態である。よって、前述した第１実施形態と同様の機能を果たす部分には、同一の符号を付して、重複する説明を適宜省略する。
付随情報処理部２５０に含まれる付随情報送信判断部２５２は、ＩＤ比較部１５１の比較結果に応じて付随情報であるＤＰＯＦ（登録商標）データを利用者に送信するか否かの判断を行う。
【００３６】
図６は、第２実施形態におけるサーバ２００の処理フローを示した図である。
Ｓ３０１では、インターネット１０００を介して行われる表示装置２０からの画像データ（ここでは画像Ａと表記、以下同様。）取得要求を受け付ける処理を行う。
Ｓ３０３では、サーバ２００の蓄積部１２０に蓄積されている画像Ａに対応するＤＰＯＦ（登録商標）データを取得する処理を行う。処理後、Ｓ３０５へ進む。
【００３７】
Ｓ３０５では、画像Ａのオーナ、すなわち画像Ａをアップロードした登録者のＩＤの情報取得処理を行う。
Ｓ３０７では、画像Ａのダウンロード要求を行った利用者のＩＤの取得処理を行う。
Ｓ２０９では、付随情報処理部２５０のＩＤ比較部１５１が画像Ａのダウンロード要求を出した利用者のＩＤと該当する画像Ａの登録者のＩＤとを比較し、その結果により処理を分岐させている。すなわち、もし、画像Ａのダウンロード要求を出した利用者のＩＤと画像Ａの登録者のＩＤとが一致しない場合には、処理をＳ３１１へ進める。また、一致する場合には、処理をＳ３１３へ進める。
【００３８】
Ｓ３１１では、利用者（このステップを実行している場合には、利用者≠画像Ａの登録者）に対して画像Ａのみを送信し、ＤＰＯＦ（登録商標）データの送信は行わない。
Ｓ３１３では、利用者（このステップを実行している場合には、利用者＝画像Ａの登録者）に対してサーバ２００の蓄積部１２０で蓄積しているＤＰＯＦ（登録商標）データを画像Ａの付随情報として画像Ａに付随させて送信する。
【００３９】
第２実施形態では、このＳ３０９〜Ｓ３１３の処理を行うことにより、登録者と異なる人物である利用者が印刷時に、覚えのないＤＰＯＦ（登録商標）データに基づいた印刷処理を実行されてしまうことを防止できる。第１実施形態では、登録者と利用者とが同一でないときに、印刷枚数について更新していたが、ＤＰＯＦ（登録商標）データには、印刷枚数以外の設定も存在する。本実施形態では、登録者と利用者とが同一でないときには、ＤＰＯＦ（登録商標）データを送信しない。よって、印刷枚数以外の設定、例えば、”Other specifications”５６（図２参照）に設定されている画像回転や画像トリミング等の設定が反映されることを防止できる。
【００４０】
（第３実施形態）
図７は、画像情報処理システムの第３実施形態の概要を示した図である。
第３実施形態は、第１実施形態の付随情報処理部１５０に代えて付随情報検索部３５１を含む付随情報処理部３５０を設けたサーバ３００とした点が第１実施形態と異なる他は、第１実施形態と同様な形態である。よって、前述した第１実施形態と同様の機能を果たす部分には、同一の符号を付して、重複する説明を適宜省略する。
第３実施形態の蓄積部１２０には、画像データをアップロードした登録者によって設定されたＤＰＯＦ（登録商標）データの他に、表示装置２０等から利用者が自らの設定として作成したＤＰＯＦ（登録商標）データを蓄積している。この利用者のＤＰＯＦ（登録商標）データ蓄積は、画像データのダウンロード要求時に行われてもよいし、それよりも先に行われていてもよい。
付随情報検索部３５１は、ダウンロード要求した利用者に対応するＤＰＯＦ（登録商標）データを蓄積部１２０内から検索する。
【００４１】
図８は、第３実施形態におけるサーバ３００の処理フローを示した図である。
Ｓ４０１では、インターネット１０００を介して行われる表示装置２０からの画像データ（ここでは画像Ａと表記、以下同様。）取得要求を受け付ける処理を行う。
Ｓ４０３では、サーバ３００の蓄積部１２０に蓄積されている画像Ａに対応するＤＰＯＦ（登録商標）データを取得する処理を行う。処理後、Ｓ４０５へ進む。
【００４２】
Ｓ４０５では、画像Ａのオーナ、すなわち画像Ａをアップロードした登録者のＩＤの情報取得処理を行う。
Ｓ４０７では、画像Ａのダウンロード要求を行った利用者のＩＤの取得処理を行う。
Ｓ４０９では、画像Ａのダウンロード要求を出した利用者のＩＤに対応するＤＰＯＦ（登録商標）設定ファイルが存在するか否かを付随情報検索部３５１が検索して判断し、その結果により処理を分岐させている。すなわち、もし、利用者のＩＤ用のＤＰＯＦ（登録商標）設定ファイルが存在する場合には、処理をＳ４１１へ進める。また存在しない場合には、処理をＳ４１３へ進める。
【００４３】
Ｓ４１１では、利用者のＩＤ用のＤＰＯＦ（登録商標）設定ファイルが存在するため、利用者に対してサーバ３００の蓄積部１２０で蓄積している該当する利用者用のＤＰＯＦ（登録商標）設定から画像ＡのＤＰＯＦ（登録商標）データを生成する。そして、これを付随情報として付随させて画像Ａを送信する。
Ｓ４１３では、利用者ＩＤ用のＤＰＯＦ（登録商標）設定ファイルが存在しないため、利用者に対して画像Ａのみを送信する。
【００４４】
第３実施形態では、このＳ４０９〜Ｓ４１３の処理を行うことにより、利用者に合ったＤＰＯＦ（登録商標）データを利用者に提供できる。また、利用者と登録者とが同一人物である場合には、画像データに付随するＤＰＯＦ（登録商標）データが存在する。よって、Ｓ４０９で行う検索により登録者（＝利用者）のＤＰＯＦ（登録商標）データが抽出され、登録者（＝利用者）へ画像データとともに送られる。
【００４５】
（第４実施形態）
図９は、画像情報処理システムの第４実施形態の概要を示した図である。
第４実施形態は、第１実施形態の付随情報処理部１５０に代えて構成の異なる付随情報処理部４５０を設け、さらに付随情報受付部４６０を設けたサーバ４００とした点が第１実施形態と異なる他は、第１実施形態と同様な形態である。よって、前述した第１実施形態と同様の機能を果たす部分には、同一の符号を付して、重複する説明を適宜省略する。
【００４６】
付随情報受付部４６０は、利用者が表示装置２０を操作することによって、ダウンロード要求してダウンロードした画像データについてのＤＰＯＦ（登録商標）データの設定（すなわち、設定の変更）を表示装置２０から受け付ける。
付随情報処理部４５０は、付随情報比較部４５１と付随情報更新部４５２とを有している。
付随情報比較部４５１は、登録者によってアップロードされた画像に設定されているＤＰＯＦ（登録商標）データと、付随情報受付部４６０が利用者の表示装置２０から受け付けたＤＰＯＦ（登録商標）データとを比較する。
付随情報更新部４５２は、付随情報比較部４５１の比較結果に応じて、ＤＰＯＦ（登録商標）データの更新を行う。
【００４７】
図１０は、第４実施形態におけるサーバ４００の処理フローを示した図である。
Ｓ５０１では、インターネット１０００を介して行われる表示装置２０からの画像データ（ここでは画像Ａと表記、以下同様。）取得要求を受け付ける処理を行う。
Ｓ５０３では、サーバ４００の蓄積部１２０に蓄積されている画像Ａに対応するＤＰＯＦ（登録商標）データを取得する処理を行う。処理後、Ｓ５０５へ進む。
【００４８】
Ｓ５０５では、画像Ａの利用者、すなわち画像Ａをダウンロード要求する要求元の利用者のＩＤの情報取得処理を行う。
Ｓ５０７では、画像Ａ及びＳ５０３で取得したＤＰＯＦ（登録商標）データを利用者に対して送信する処理を行う。送信終了後、Ｓ５０９に進む。
Ｓ５０９では、ダウンロード要求元の利用者から画像Ａに関するＤＰＯＦ（登録商標）データの受信処理を行う。ここで、利用者から受信するＤＰＯＦ（登録商標）データとは、利用者がＳ５０７でサーバ４００から受信した画像Ａに関するＤＰＯＦ（登録商標）データについて、利用者が自らに必要な修正等を行ったものである。
【００４９】
Ｓ５１１では、Ｓ５０９で受信したＤＰＯＦ（登録商標）データとサーバ４００に蓄積されている画像Ａに対応するＤＰＯＦ（登録商標）データとに差異があるか否かを付随情報比較部４５１が判断する。もし変更があれば、Ｓ５１３に進みサーバ４００に蓄積されている画像Ａに対応するＤＰＯＦ（登録商標）データの更新を行う。変更が無ければ、処理を終了する。
【００５０】
第４実施形態では、上述したＳ５０９〜Ｓ５１３の処理を行うことにより、画像Ａをダウンロードした利用者が表示装置２０やプリンタ４０用に変更したＤＰＯＦ（登録商標）データの設定をサーバ４００にフィードバック可能である。
例えば、自動画像再生機能を使った場合に、表示装置２０上で画像の再生順序を変えた場合など、この情報をサーバ４００にフィードバックして次回以降に画像をダウンロードする他の利用者にこの設定を適用できる。
【００５１】
（第５実施形態）
図１１は、画像情報処理システムの第５実施形態の概要を示した図である。
第５実施形態は、第１実施形態の付随情報処理部１５０に代えて構成の異なる付随情報処理部５５０を設けた点が第１実施形態と異なる他は、第１実施形態と同様な形態である。よって、前述した第１実施形態と同様の機能を果たす部分には、同一の符号を付して、重複する説明を適宜省略する。
第５実施形態の付随情報処理部５５０は、付随情報判断部５５１と、後処理確認部５５２と、付随情報更新部５５３とを有している。
【００５２】
付随情報判断部５５１は、登録者によってアップロードされた画像に設定されているＤＰＯＦ（登録商標）データ中に利用者のＩＤとの関連性を有する情報が含まれているか否かを判断する。具体的には、アップロードされた画像に設定されているＤＰＯＦ（登録商標）データ中に利用者の電子メールアドレスが送信先メールアドレスとして含まれているか否かを判断する。なお、利用者のメールアドレスは、サーバ５００が利用者のＩＤと関連づけて管理しているが、利用者がダウンロード要求時に入力するようにしてもよい。
後処理確認部５５２は、利用者がダウンロードした画像に対して行った後処理を確認する。
付随情報更新部５５３は、付随情報判断部５５１による判断結果、及び、後処理確認部５５２による確認結果に応じて、ＤＰＯＦ（登録商標）データを更新する。
【００５３】
図１２は、第５実施形態におけるサーバ５００の処理フローを示した図である。
Ｓ７０１では、インターネット１０００を介して行われる表示装置２０からの画像データ（ここでは画像Ａと表記、以下同様。）取得要求を受け付ける処理を行う。
Ｓ７０３では、サーバ５００の蓄積部１２０に蓄積されている画像Ａに対応するＤＰＯＦ（登録商標）データを取得する処理を行う。処理後、Ｓ７０５へ進む。
【００５４】
Ｓ７０５では、ＤＰＯＦ（登録商標）データ内に格納されている画像送信先情報の取得処理を行う。この画像送信先情報は、電子メールアドレス形式で保存されている。
Ｓ７０７では、画像ダウンロード要求を行った利用者のＩＤの取得処理を行う。その後、処理をＳ７０９へと進める。
Ｓ７０９では、ダウンロード要求を出した利用者に対して、画像Ａのデータ及びＤＰＯＦ（登録商標）データを送信する処理を行う。送信後、処理をＳ７１１へ進める。
【００５５】
Ｓ７１１では、画像Ａのダウンロード要求を出した利用者のＩＤに対応する電子メールアドレスとＳ７０５で取得した画像送信先情報（電子メールアドレス）とを比較する。そして、ＤＰＯＦ（登録商標）データ中に利用者の電子メールアドレスが送信先メールアドレスとして含まれているか否かの判断を付随情報判断部５５１が行う。具体的にはＤＰＯＦ（登録商標）データの送信先情報の電子メールアドレスとサーバ５００で管理されている利用者のＩＤ情報と関連付けて管理されている電子メールアドレスとのマッチングを行う。この結果を用い処理を分岐させている。
すなわち、もし、画像Ａのダウンロード要求を出した利用者のＩＤに対応する電子メールアドレスと画像送信先情報に含まれる電子メールアドレスとが一致した場合には、処理をＳ７１３へ進める。
一方、画像Ａのダウンロード要求を出した利用者のＩＤに対応する電子メールアドレスと画像送信先情報に含まれる電子メールアドレスとが一致しない場合には、処理を終了する。
【００５６】
Ｓ７１３では、直前のＳ７１１で画像Ａのダウンロード要求を出した利用者のＩＤに対応する電子メールアドレスと画像送信先情報に含まれる電子メールアドレスとが一致したことを受けて送信先情報を削除する。すなわち、画像ＡのＤＰＯＦ（登録商標）データからダウンロードした利用者と一致する送信先情報（電子メールアドレス）を削除する。削除後、処理をＳ７１５へと進める。この送信先情報の削除を行うのは、既に利用者がダウンロードを行っていることから、重複して送信を行う必要がなくなったからである。
【００５７】
Ｓ７１５では、画像Ａをダウンロードした利用者がプリンタ４０を用いて印刷出力を実施したか否かを後処理確認部５５２が確認し、その結果に応じて処理を分岐している。
すなわち、利用者が印刷出力を実施した場合には、処理をＳ７１７へ進める。
一方、利用者が印刷出力を実施していない場合には、処理を終了する。
【００５８】
Ｓ７１７では、先のＳ７１５で利用者による印刷出力の実施を確認したことを受けて、サーバ５００の蓄積部１２０に蓄積されている画像Ａ対応のＤＰＯＦ（登録商標）データの印刷出力の値を１減じる処理を付随情報更新部５５３が行う。
【００５９】
第５実施形態では、上述したＳ７１１〜Ｓ７１７の処理を行うことにより、画像送信先情報に含まれる電子メールアドレスと利用者のＩＤに対応する電子メールアドレスとが一致する場合に、当該利用者の電子メールアドレスを画像送信先情報から削除する。よって、重複して画像送信を行うことを防止できる。
また、ダウンロード先で印刷が行われた場合には、ＤＰＯＦ（登録商標）データの印刷出力の値を１減じるので、余計な枚数印刷してしまうことを防止できる。
【００６０】
（第６実施形態）
図１３は、画像情報処理システムの第６実施形態の概要を示した図である。
第６実施形態は、第１実施形態の付随情報処理部１５０に代えて構成の異なる付随情報処理部６５０を設けた点が第１実施形態と異なる他は、第１実施形態と同様な形態である。よって、前述した第１実施形態と同様の機能を果たす部分には、同一の符号を付して、重複する説明を適宜省略する。
第６実施形態の付随情報処理部６５０は、利用者機器情報取得部６５１と、付随情報送信判断部６５２と、情報追加部６５３と、付随情報更新部６５４とを有している。
【００６１】
利用者機器情報取得部６５１は、利用者のＤＰＯＦ（登録商標）データに関連した機器情報に関する情報を取得する。ここで、ＤＰＯＦ（登録商標）データに関連した機器情報とは、例えば、利用者がプリンタを所有しているか否か、所有するプリンタがカラー出力可能か否か、所有するプリンタの機種名等である。
付随情報送信判断部６５２は、利用者機器情報取得部６５１の取得結果に基づいて、ＤＰＯＦ（登録商標）データを送信するか否かを判断する。
情報追加部６５３は、利用者機器情報取得部６５１の取得結果に基づいて、画像に関して追加の情報を利用者へ送信する。ここで、追加の情報とは、例えば、プリンタ情報にあわせたＩＣＣプロファイル等（後述）である。
付随情報更新部６５４は、利用者機器情報取得部６５１の取得結果に基づいて、ＤＰＯＦ（登録商標）データを更新する。
【００６２】
図１４は、第６実施形態におけるサーバ６００の処理フローを示した図である。
Ｓ９０１では、インターネット１０００を介して行われる表示装置２０からの画像データ（ここでは画像Ａと表記、以下同様。）取得要求を受け付ける処理を行う。
Ｓ９０３では、サーバ５００の蓄積部１２０に蓄積されている画像Ａに対応するＤＰＯＦ（登録商標）データを取得する処理を行う。処理後、Ｓ９０５へ進む。
【００６３】
Ｓ９０５では、画像Ａの利用者、すなわち画像Ａをダウンロード要求する要求元の利用者のＩＤの情報取得処理を行う。
Ｓ９０７では、ダウンロード要求を行った利用者のプリンタ情報の取得を利用者機器情報取得部６５１が行う。
【００６４】
Ｓ９０９では、利用者機器情報取得部６５１が取得した結果に基づいて付随情報送信判断部６５２が、ダウンロード要求を行った利用者がプリンタを所有しているか否かを確認し、その結果で処理を分岐している。利用者がプリンタを所有しているのであれば、処理をＳ９１１へ進め、利用者がプリンタを所有していなければＳ９１３へ進める。
Ｓ９１１では、利用者機器情報取得部６５１が取得した結果に基づいて付随情報送信判断部６５２が、利用者の所有しているプリンタがカラープリンタであるかモノクロプリンタであるかを確認し、その結果で処理を分岐させている。カラープリンタであれば処理をＳ９１７へ進め、モノクロプリンタであればＳ９１５へ進める。
【００６５】
Ｓ９１３では、ダウンロード要求を行った利用者はプリンタを所有していないと判断されているので、付随情報送信判断部６５２は、画像Ａのデータのみを送信し、処理を終了する。
Ｓ９１５では、ダウンロード要求を行った利用者はモノクロプリンタを所有していると判断されているので、付随情報送信判断部６５２は、画像Ａのデータ及び付随情報として画像ＡのＤＰＯＦ（登録商標）データを送信し、処理を終了する。
【００６６】
Ｓ９１７では、ダウンロード要求を行った利用者はカラープリンタを所有していると判断されているので、付随情報送信判断部６５２は、画像Ａのデータ及び付随情報として画像ＡのＤＰＯＦ（登録商標）データを送信する。
また、このＳ９１７では、画像Ａのデータ及びＤＰＯＦ（登録商標）データに加えて、Ｓ９０７で取得したプリンタ情報に合わせたＩＣＣ（International Color Consortium）プロファイルを生成する。そして、生成したＩＣＣプロファイルを情報追加部６５３が画像Ａのデータ及びＤＰＯＦ（登録商標）データに加えて送信する。
ここでＩＣＣプロファイルとは、各画像表示または画像出力装置（プリンタ）のために用意される色調整のデータのことである。各プリンタは、機器毎に色の表現特性が異なる。このため例えば、表示装置２０で利用者が目視した色表現とプリンタ４０で得た同一画像の色表現は異なる。これを回避するためにＩＣＣプロファイルを用意し、表示装置２０の出力結果とプリンタ４０の出力結果が一致するように調整制御を行う。この設定により表示装置２０とプリンタ４０の印刷出力結果を同等の色で再現できるようになる。さらに、登録者が登録した画像本来の色と同等の色で印刷できる。
【００６７】
Ｓ１００１では、Ｓ９０５で取得したプリンタ情報に含まれるプリンタの給紙サイズによって処理を分岐する。
すなわち、給紙サイズがＤＰＯＦ（登録商標）データに設定されているトリミング範囲の縦横比と一致するフォトサイズであれば、処理をＳ１００３に進める。
一方、給紙サイズがＤＰＯＦ（登録商標）データに設定されているトリミング範囲の縦横比と一致するフォトサイズでなければ、処理をＳ１００５に進める。
ここで、フォトサイズとは、いわゆるＬサイズ（８９×１２７ｍｍ）、２Ｌサイズ（１２７×１７８ｍｍ）、六切サイズ（２０３×２５４ｍｍ）等の印刷サービスで使用されているものを指している。
また、ＤＰＯＦ（登録商標）データに設定されているトリミング範囲は、フォトサイズの縦横比に対応した縦横比となるように設定されている。
このＳ１００１で、プリンタの給紙サイズによって処理を分岐するのは、給紙される用紙によっては、トリミング情報でうまくトリミングできない場合があるからである。うまくトリミングできない場合とは、余白が不均一になる、又は、縁なし印刷で一部はみ出してしまうか、一部に余白を容認する必要がある等の場合である。
【００６８】
Ｓ１００３は、Ｓ１００１で給紙サイズがＤＰＯＦ（登録商標）データに設定されているトリミング範囲の縦横比と一致するフォトサイズと判断されたときに実行される。したがって、Ｓ１００３では、付随情報更新部６５４が、トリミング情報をダウンロード用のＤＰＯＦ（登録商標）データに設定する。具体的には、サーバ６００の蓄積部１２０に蓄積されている元のＤＰＯＦ（登録商標）データに設定されている画像ＡのＤＰＯＦ（登録商標）データのうちトリミングに関するものをダウンロード用のＤＰＯＦ（登録商標）データに設定する。
【００６９】
Ｓ１００５は、Ｓ１００１で給紙サイズがＤＰＯＦ（登録商標）データに設定されているトリミング範囲の縦横比と一致するフォトサイズではない判断されたときに実行される。したがって、Ｓ１００５では、付随情報更新部６５４が、トリミング情報をダウンロード用のＤＰＯＦ（登録商標）データから削除する。具体的には、サーバ６００の蓄積部１２０に蓄積されている元のＤＰＯＦ（登録商標）データに設定されている画像ＡのＤＰＯＦ（登録商標）データのうちトリミングに関するものをダウンロード用のＤＰＯＦ（登録商標）データから削除する。
【００７０】
第６実施形態では、上述したＳ９０７〜Ｓ１００５の処理を行うことにより、利用者のプリンタ環境に合わせた付随情報を利用者に提供できる。したがって、利用者のプリンタで印刷するのに不適切なトリミング情報を送ったり、カラー印刷ができない場合に不必要なＩＣＣプロファイルを送ったりすることなく、必要十分な情報を送信できる。
【００７１】
（変形形態）
以上説明した実施形態に限定されることなく、種々の変形や変更が可能であって、それらも本発明の範囲内である。
（１）各実施形態において、コンピュータ１０とカメラ３０とを用いて、画像データとＤＰＯＦ（登録商標）データとをサーバ（１００〜６００）へ送る例を示した。しかし、これに限らず、例えば、通信機能を備えるカメラからサーバへコンピュータを介さずに画像データとＤＰＯＦ（登録商標）データとを送ってもよい。また、この場合、カメラという形態に限らず、例えば携帯電話等、撮影機能を有した各種機器を用いてもよい。
【００７２】
（２）各実施形態において、付随情報として主にＤＰＯＦ（登録商標）データを例に挙げて説明したが、これに限らず、他のデータ形式で後処理の内容を表す付随情報であってもよい。
【００７３】
（３）各実施形態において、コンピュータ１０、表示装置２０、サーバ（１００〜６００）は、インターネット１０００により接続されている例を示したが、これに限らず、例えば、一部又は全部を他の通信回線等に置き換えてもよい。
【００７４】
なお、第１実施形態〜第６実施形態及び変形形態は、適宜組み合わせて用いることもできるが、詳細な説明は省略する。また、本発明は以上説明した各実施形態によって限定されることはない。
【図面の簡単な説明】
【００７５】
【図１】画像情報処理システムの第１実施形態の概要を示した図である。
【図２】ＤＰＯＦ（登録商標）データの概要を示した図である。
【図３】画像データをコンピュータ１０からアップロードするときのサーバ１００の処理フローを示す図である。
【図４】画像データを表示装置２０へダウンロードする際のＤＰＯＦ（登録商標）設定処理フローを示す図である。
【図５】画像情報処理システムの第２実施形態の概要を示した図である。
【図６】第２実施形態におけるサーバ２００の処理フローを示した図である。
【図７】画像情報処理システムの第３実施形態の概要を示した図である。
【図８】第３実施形態におけるサーバ３００の処理フローを示した図である。
【図９】画像情報処理システムの第４実施形態の概要を示した図である。
【図１０】第４実施形態におけるサーバ４００の処理フローを示した図である。
【図１１】画像情報処理システムの第５実施形態の概要を示した図である。
【図１２】第５実施形態におけるサーバ５００の処理フローを示した図である。
【図１３】画像情報処理システムの第６実施形態の概要を示した図である。
【図１４】第６実施形態におけるサーバ６００の処理フローを示した図である。
【符号の説明】
【００７６】
１０    コンピュータ
２０    表示装置
１００，２００，３００，４００，５００，６００    サーバ
１１０    通信部
１２０    蓄積部
１３０    取得要求受付部
１４０    利用者情報取得部
１５０，２５０，３５０，４５０，５５０，６５０    付随情報処理部
１５１    ＩＤ比較部
１５２    付随情報更新部
２５２    付随情報送信判断部
３５１    付随情報検索部
４５１    付随情報比較部
４５２    付随情報更新部
４６０    付随情報受付部
５５１    付随情報判断部
５５２    後処理確認部
５５３    付随情報更新部
６５１    利用者機器情報取得部
６５２    付随情報送信判断部
６５３    情報追加部
６５４    付随情報更新部
１０００  インターネット
【図１】
2010081162.tif 000003
【図２】
2010081162.tif 000004
【図３】
2010081162.tif 000005
【図４】
2010081162.tif 000006
【図５】
2010081162.tif 000007
【図６】
2010081162.tif 000008
【図７】
2010081162.tif 000009
【図８】
2010081162.tif 000010
【図９】
2010081162.tif 000011
【図１０】
2010081162.tif 000012
【図１１】
2010081162.tif 000013
【図１２】
2010081162.tif 000014
【図１３】
2010081162.tif 000015
【図１４】
2010081162.tif 000016